(57)【特許請求の範囲】
【請求項１】
情報を送信する方法であって、
該情報からビットの１つのシーケンスを符号化することにより、異なる組の符号化ビットを有する第１サブパケット及び第２サブパケットを形成するステップと、
該第１サブパケット及び第２サブパケットに関するピーク対平均出力比を求めるステップと、
ハイブリッド自動再送要求（Ｈｙｂｒｉｄ  ＡＲＱ）プロトコルに従って該第１サブパケット及び第２サブパケットの少なくとも一方を送信するステップであって、該第１サブパケット又は該第２サブパケットは、該サブパケットのピーク対平均出力比に従って送信のために選択されるステップとを含む方法。
【請求項２】
請求項１に記載の方法において、
該第１及び第２サブパケットの少なくとも一方を、各サブパケットの該ピーク対平均出力比に関する順序で送信する該ステップが、最低のピーク対平均出力比を有するサブパケットをまず送信するステップをさらに含む方法。
【請求項３】
請求項１に記載の方法において、
該第１及び第２サブパケットの少なくとも一方を、各サブパケットの該ピーク対平均出力比に関する順序で送信する該ステップが、最低のピーク対平均出力比を有するサブパケットをまず送信するステップと、最低のピーク対平均出力比を有する該サブパケットが適切に受信されなかったという信号を受信したことに応答して、より高いピーク対平均出力比を有するサブパケットを２番目に送信するステップとをさらに含む方法。
【請求項４】
請求項３に記載の方法において、
該第１サブパケット及び第２サブパケットのうちいずれかが適切に受信されたことを示す信号を受信したことに応答して、後続の１組の情報から第３及び第４サブパケットを形成するステップと、
該第３及び第４サブパケットに関するピーク対平均出力比を求めるステップと、
該第３及び第４サブパケットの少なくとも一方を、各サブパケットの該ピーク対平均出力比に関する順序で送信するステップとをさらに含む方法。
【請求項５】
請求項１に記載の方法において、
該情報から第１及び第２サブパケットを形成するステップが、該情報から第１及び第２自己復号化可能サブパケットを形成するステップをさらに含む方法。
【請求項６】
情報を送信する方法であって、
該情報から複数のサブパケットを形成するステップと、
該複数のサブパケットの少なくとも一部に関するピーク対平均出力比を求めるステップと、
ハイブリッド自動再送要求（Ｈｙｂｒｉｄ  ＡＲＱ）プロトコルを使用して、他のパケットを送信する前に該複数のサブパケットの該少なくとも一部を送信するステップであって、該複数のサブパケットの該少なくとも一部は、各々のサブパケットのピーク対平均出力比によって決定される順序で送信のために選択されるステップとを含む方法。
【請求項７】
請求項６に記載の方法において、
該複数のサブパケットの少なくとも１つを、各サブパケットの該ピーク対平均出力比に関する順序で送信するステップが、最低のピーク対平均出力比を有するサブパケットをまず送信するステップを含む方法。
【請求項８】
請求項６に記載の方法において、
該複数のサブパケットの少なくとも１つを、各サブパケットの該ピーク対平均出力比に関する順序で送信するステップが、最低のピーク対平均出力比を有するサブパケットをまず送信するステップと、最低のピーク対平均出力比を有する該サブパケットが適切に受信されなかったという信号を受信したことに応答して、次に低いピーク対平均出力比を有するサブパケットをその後に送信するステップとをさらに含む方法。
【請求項９】
請求項６に記載の方法において、
該複数のサブパケットの少なくとも１つを、各サブパケットの該ピーク対平均出力比に関する順序で送信するステップが、該サブパケットのうち少なくとも１つが適切に受信されたという信号を受信するまで、最低のピーク対平均出力比から最高のピーク対平均出力比の順序で該各サブパケットを順次送信するステップをさらに含む方法。
【請求項１０】
請求項６に記載の方法において、
該複数のサブパケットの少なくとも１つを、各サブパケットの該ピーク対平均出力比に関する順序で送信するステップが、
第１サブパケットを選択するステップと、
選択したサブパケットの該ピーク対平均出力比が事前選択した設定値未満であることに応答して、該第１サブパケットを送信するステップとを含む方法。
【発明の詳細な説明】
【技術分野】
【０００１】
本発明は一般には遠隔通信に関し、より詳細にはワイヤレス通信に関する。
【背景技術】
【０００２】
ワイヤレス通信では様々な伝送技法が使用される。比較的一般的な２つの技法は、符号分割多重接続（ＣＤＭＡ）および直交周波数分割多重方式（ＯＦＤＭ）である。ＣＤＭＡは、異なる直交Ｗａｌｓｈコードを使用する複数のユーザを共通周波数搬送波上に多重化することができる変調および多重アクセス技法である。ＣＤＭＡは、その干渉平均化および多重通路ダイバーシチという有用な特性のために様々なワイヤレス通信システムで使用されている。ＣＤＭＡシステムで信号を拡散することにより、受信される伝送を非常に低い搬送波対干渉比（Ｃ／Ｉ）で復号化することが可能となるのに十分な処理利得が得られることを当業者は理解されよう。したがって、ＣＤＭＡ伝送は高レベルの干渉に耐えることができ、ユニバーサル周波数再利用を用いた配置が可能となる（システムのすべてのセクタで同一の周波数が使用される）。ＣＤＭＡを使用するワイヤレス通信システムの例は、第２世代ＩＳ−９５システムと、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）やｃｄｍａ２０００などの第３世代セルラ・システムである。ＣＤＭＡは、ワイヤレスＬＡＮ（ローカル・エリア・ネットワーク）向けのＩＥＥＥ８０２．１１ｂ規格でも使用される。
【０００３】
ＣＤＭＡダウンリンク（基地局から移動局）では、異なるＷａｌｓｈコードに関する伝送が、移動局で受信されたときに直交する。これは、信号がダウンリンク上で固定位置（基地局）から伝送され、すべてのＷａｌｓｈコードが同期して受信されるためである。したがって、多重通路信号がない場合、異なるコードに関する伝送は互いに干渉しない。しかし、（セルラ環境に特徴的な）多重通路伝播の存在下では、Ｗａｌｓｈコードはもはや直交せず、したがって互いに干渉し、シンボル間干渉（ＩＳＩ）および多重アクセス干渉（ＭＡＩ）が生じる。ＩＳＩおよびＭＡＩにより、達成可能な最大ＳＮ比（ＳＮＲ）が制限され、それによって、サポートすることができる最大データ転送速度が制限される。
【０００４】
この問題は、ＣＤＭＡアップリンク（移動局から基地局）に関しても存在する。複数のユーザから受信したＷａｌｓｈコードは、多重通路信号が存在しない場合であっても直交しないからである。アップリンクでは、様々な場所の移動局から基地局への伝播時間が往々にして異なる。受信されるコードは、基地局に到来したときには同期されておらず、したがって様々な装置から来る信号に関して直交性を保証することができない。複数のユーザからの伝送が互いに干渉して多重アクセス干渉（ＭＡＩ）が生じ、したがって、各ユーザが認識する雑音上昇に寄与する。一般には、基地局での雑音上昇は、望ましいシステム・キャパシティおよびカバレッジを保証するために、ライズ・オーバ・サーマル（ＲｏＴ）しきい値と呼ばれる一定のしきい値未満に保たれる。基地局の回路は、熱雑音と呼ばれる一定量の温度依存雑音を生成する。ＲｏＴしきい値は、移動伝送をそこで受信することができる熱雑音より上の出力量を制限する。しきい値と他のユーザからの干渉とにより、達成可能なデータ転送速度とＣＤＭＡアップリンク上の伝送のための容量が制限される。
【０００５】
ＯＦＤＭは、ＣＤＭＡに関連する問題のいくつかを持たない。例えば、ＩＳＩは、ＯＦＤＭでより長いシンボル期間を使用することによってかなり低減される。さらに、多重アクセス干渉（ＭＡＩ）を生成することなく直交副搬送波上で伝送が行われる。ＯＦＤＭシステムでは、高データ転送速度ストリームがパラレルからシリアルに変換され、その結果、各パラレル・ストリーム上のレートが低くなる。各ストリーム上のレートが低くなることにより、より長いシンボル期間を使用することが可能となる。ＯＦＤＭでは、複数のパラレル・データ・ストリームが直交副搬送波にマッピングされる。ＯＦＤＭ変調は、変調後の副搬送波を搬送波間干渉（ＩＣＩ）を引き起こすことなく可能な限り近づけるように配置することにより、効率的に電波スペクトルを使用する。少なくとも部分的にはその優れた性能により、ＯＦＤＭ変調は様々な規格で、とりわけデジタル・オーディオ放送（ＤＡＢ）デジタル・ビデオ放送（ＤＶＢ）、非対称デジタル加入者線（ＡＤＳＬ）、ＩＥＥＥＬＡＮ（８０２．１１ａおよび８０２．１１ｇ）、およびＩＥＥＥ  ＭＡＮ８０２．１６ａで採用されている。ＯＦＤＭ変調はまた、様々な次世代ワイヤレス規格向けに検討されている。
【０００６】
ＯＦＤＭはＣＤＭＡに勝るいくつかの利点をもたらすが、ＯＦＤＭ信号にはそれ自体の欠点がある。例えば、ＯＦＤＭ信号は高いピーク対平均出力比（ＰＡＰＲ）を有し、それにより、広いダイナミック・レンジを有するより高価な電力増幅器が必要となる。こうした高価な電力増幅器がない場合、ＯＦＤＭ信号が高い確率でクリッピングされる可能性があり、ビットエラー率（ＢＥＲ）および／またはフレーム・エラー率（ＦＥＲ）の性能が低下する。このクリッピングにより、副搬送波間の相互変調積および外乱帯域外バンド・エネルギーも生じる可能性がある。
【発明の開示】
【発明が解決しようとする課題】
【０００７】
本発明は、上述の問題の１つまたは複数の効果を克服すること、または少なくとも低減することを対象とする。
【課題を解決するための手段】
【０００８】
本発明の一実施形態では、情報を送信する方法が提供される。この方法は、情報から第１および第２サブパケットを形成すること、および第１および第２サブパケットに関するピーク対平均出力比を求めることを含む。次いで、第１および第２サブパケットの少なくとも一方が、各サブパケットのピーク対平均出力比に関する順序で送信される。
【０００９】
本発明の別の実施形態では、情報を送信する方法が提供される。この方法は、情報から複数のサブパケットを形成すること、および複数のサブパケットの少なくとも一部に関するピーク対平均出力比を求めることを含む。次いで、複数のサブパケットの少なくとも１つが、各サブパケットのピーク対平均出力比に関する順序で送信される。
【００１０】
添付の図面と共に行われる以下の説明を参照することによって本発明を理解することができる。添付の図面では、同様の参照番号により同様の要素が識別される。
【００１１】
本発明には様々な修正形態および代替形態の余地があるが、その特定の実施形態を例示によって図面で示しており、本明細書で詳細に説明する。しかし、本明細書の特定の実施形態の説明は、本発明を開示の特定の形態に限定することを意図するものではなく、逆に、添付の特許請求の範囲によって定義される本発明の精神および範囲に含まれるすべての修正形態、均等物、および代替形態を包含することが意図される。
【発明を実施するための最良の形態】
【００１２】
以下で本発明の例示的実施形態を説明する。分かりやすくするため、本明細書では実際の実装のすべての機能を説明するわけではない。もちろん、そのような実際の実施形態の開発では、実装ごとに異なるシステム関係の制約およびビジネス関係の制約の準拠など、開発者の特定の目標を達成するために多数の実装特有の決定を行わなければならないことを理解されよう。さらに、そのような開発の労力は複雑で時間がかかる可能性があるが、それでも本開示の特典を有する当業者にとって定型的作業となることを理解されよう。
【００１３】
概して、ＯＦＤＭベースのワイヤレス・システムでピーク対平均出力比（ＰＡＰＲ）を低減する方法が本明細書で開示される。ＰＡＰＲの低減は、Ｈｙｂｒｉｄ  ＡＲＱを使用するシステムで利用可能なサブパケットを（送信のために）適切に選択することにより、本発明の一実施形態で達成することができる。
【００１４】
次に図面、具体的には図１を参照すると、従来型ＯＦＤＭ送信機チェーン１００の様式化した表現が示されている。一般には、エンコーダ・パケットと呼ばれる１組のビットの形態の情報が、ハードウェア／ソフトウェア／ファームウェア１０５により、ＱシンボルおよびＩシンボルとして符号化され、インターリーブされ、変調される。限定はしないが、情報が、制御情報、データ、タイミング、出力などを含む多種多様な形を取ることができ、セルラ通信、ネットワーク通信、ＶｏＩＰ、８０２．１１型通信などの多種多様な応用例で有用なタイプでよいことを当業者は理解されよう。
【００１５】
１群のＩシンボルおよびＱシンボルは、デマルチプレクサ１１０によって直列−並列変換され、利用可能な副搬送波にマッピングされる。１１５で様式的に表現されているように、未使用の副搬送波がゼロで埋められ、したがってシンボルを搬送しない。１２０では、副搬送波シンボルに対してＩＦＦＴ（逆高速フーリエ変換）演算が実施され、得られるシンボルがマルチプレクサ１２５によって並列−直列変換されて時間領域信号が形成され、時間領域信号が、ハードウェア／ソフトウェア／ファームウェア１３０による送信のために、直角変調され、ＲＦ周波数に変換される。ＯＦＤＭ送信機チェーン１００のある実施形態では、ＲＦ周波数に変換する前にベースバンド・フィルタ１３５を使用することができる。
【００１６】
一般に、同一の通信チャネル上のいくつかの並列伝送の結果としてより高いＰＡＰＲが生じる可能性がある。例えば、ＣＤＭＡシステムでの高ＰＡＰＲは、複数のＷａｌｓｈコードを介する並列伝送の結果として生じる。ＯＦＤＭシステムでは、高ＰＡＰＲは、いくつかの副搬送波上の並列伝送の結果である。
【００１７】
次に図２を参照すると、Ｈｙｂｒｉｄ  ＡＲＱシステムでエンコーダ・パケットからサブパケットを形成する例示的一技法が示されている。本明細書でエンコーダ・パケットと呼ぶ情報パケットが、入力信号としてチャネル・エンコーダ２００に供給される。本発明の例示的一実施形態では、チャネル・エンコーダ２００は、レート１／５コードのターボ・コーディングを使用することができる。チャネル・エンコーダ２００は、受信機で誤りを補正できるようにする冗長性を情報に追加する。２０５で、エンコーダ２００によって供給される一続きの符号化ビットがパンクチャリングおよび／または反復され、サブパケットＳＰ１〜ＳＰ４などのサブパケットが形成される。形成されるサブパケットの数は設計基準と相関関係にあり、他の因子の中でもとりわけ、ベース・コーディング・レートと、Ｈｙｂｒｉｄ  ＡＲＱプロセスで可能な最大再伝送試行回数とに依存することを当業者は理解されよう。本発明の例示的実施形態では、情報パケットから形成される４つのサブパケットは、それぞれ自己復号化可能であり、すなわち、潜在的に情報パケット（エンコーダ・パケット）をサブパケットの任意の１つから回復することができる。しかし、本発明の原理は自己復号化不能サブパケットにも容易に適用することができる。
【００１８】
次いで２１５で示すように、スケジューラ２１０の制御下でサブパケットＳＰ１〜ＳＰ４を適切な副搬送波に経路指定またはマッピングすることができる。サブパケットＳＰ１〜ＳＰ４のマッピングを制御することにより、ＰＡＰＲをかなり低減することができる。
【００１９】
例示的Ｈｙｂｒｉｄ  ＡＲＱオペレーションの様式化された表現が図３および図４に示されている。図３では、サブパケット伝送が適切に受信されなかったことに応答して受信機から非肯定応答（ＮＡＣＫ）フィードバック信号を受信することにそれぞれ応答して、エンコーダ・パケットから導出されたすべての４つのサブパケットＳＰ１１〜ＳＰ１４が順次送信される。図４では、サブパケットＳ１２を適切に受信した後のＡＣＫ信号の送信によって示される２つのサブパケットの送信後に、第１エンコーダ・パケットが続く。次いで、基地局は、前のエンコーダ・パケットに関するＡＣＫ応答を受信した後に新しいエンコーダ・パケットの送信を開始する。従来のシステムでは、サブパケットは所定のシーケンス、すなわちサブパケットＳ１１の後に続いてサブパケットＳ１２、Ｓ１３、およびＳ１４などのシーケンスで送信される。
【００２０】
各サブパケットは通常は異なる１組の符号化ビットを含み、したがって、例えばＣＤＭＡで複数のＷａｌｓｈコードを使用して、またはＯＦＤＭシステムで複数の副搬送波を使用して送信されるとき、通常は異なるＰＡＰＲ比を生成することを当業者は理解されよう。同一のエンコーダ・パケットの復号化に対して複数のサブパケットが利用可能であるので、所与の時間での送信のためにサブパケットを適切に選択することによってＰＡＰＲを制御することが可能である。すなわち、スケジューラ２１０は、サブパケットＳ１１の後に続くサブパケットＳ１２、Ｓ１３、およびＳ１４という従来の順序からはずれて、代わりに最低のＰＡＰＲから最高のＰＡＰＲまで続く順序でサブパケットを選ぶことができる。
【００２１】
本発明の原理によるＨｙｂｒｉｄ  ＡＲＱオペレーションの一例を図５に示す。サブパケットの伝送に関して所定のシーケンスは存在しない。所与のエンコーダ・パケットの伝送について、最低のＰＡＰＲが得られるサブパケットが伝送のために選択される（例えば、図３では第１エンコーダ・パケットの第３サブパケットであるサブパケットＳ１３）。伝送に成功しなかった（例えばＮＡＣＫ応答を受信した）場合、次に小さいＰＡＰＲを有するサブパケットが伝送のために選択される（図３では第１エンコーダ・パケットの第２サブパケットであるサブパケットＳ１２）。この原理を用いたサブパケットの伝送により、ほとんどのケースで、高いＰＡＰＲが生じるサブパケットの伝送が回避される。これは、第１および第２Ｈｙｂｒｉｄ  ＡＲＱ試行での復号化が成功する見込みが、一般には後の試行が成功する見込みよりも高いためである。サブパケットは潜在的には順序が乱れて伝送される可能性があるので、明示的にサブパケット・シーケンス番号を受信機に信号で知らせることができる。
【００２２】
本発明の別の実施形態によれば、図６に示すように、事前定義ＰＡＰＲしきい値基準を超過するサブパケットが、伝送可能サブパケットのリストから除外される。この例では、サブパケットＳ１１がＰＡＰＲに違反し、潜在的伝送から除外される。次いで残りのサブパケットＳ１２〜Ｓ１３を、図５に関連した述べたシーケンスなどの所望のシーケンスで送信することができる。より多数のＨｙｂｒｉｄ  ＡＲＱ伝送試行を可能にするために、潜在的にサブパケット伝送を反復することができる。例えば図６の例では、受信機から第３ＮＡＣＫを受信した後にサブパケットＳ１２が反復される。
【００２３】
本発明の別の実施形態によれば、図７に示されるように、複数のユーザからのサブパケットが、同時伝送のために選択される。この場合、ＰＡＰＲが、複数のユーザからのサブパケットの同時伝送から生成される全信号に適用される。したがって、各ユーザからのサブパケットが、ＰＡＰＲ基準を満たすように選択される。
【００２４】
図７に示す例では、第１試行で、ユーザＡからサブパケットＳ１３が選択され、ユーザＢからサブパケットＳ１１が選択される。第２試行では、ユーザＡからサブパケットＳ１２が選択され、ユーザＢからサブパケットＳ１３が選択される。ユーザＢのエンコーダ・パケット伝送は２つの試行の後に成功する。したがって、第３試行では、ユーザＡからサブパケットＳ１４が選択される。ＰＡＰＲ基準は、他のユーザ伝送がないときにのみユーザＡからの伝送に適用されることに留意されたい。
【００２５】
ＰＡＰＲ制御のためのサブパケットについての選択プロセスの一実施形態を示す例示的フロー・チャートを図８に示す。このプロセスはブロック８００で開始し、伝送のための新しいエンコーダ・パケットを選択する。ブロック８０５では、新しいエンコーダ・パケットに関連するサブパケットを選択する。ブロック８１０で、選択したサブパケットが確立したＰＡＰＲ基準に適合しない場合（例えば、選択したサブパケットが、事前選択したしきい値を超過するＰＡＰＲを有する場合）、制御はブロック８０５に戻り、別のサブパケットを選択し、プロセスを反復する。一方、選択したサブパケットがＰＡＰＲ基準に適合する場合、ブロック８１５で、サブパケットを受信機に送信する（受信機は、伝送の方向に応じて基地局またはモバイル・ユニットでよい）。ブロック８２０では、送信機は、サブパケットが適切に受信された／されなかったことを示す受信機からのＡＣＫ／ＮＡＣＫ信号を待機する。ＮＡＣＫ信号の受信によって示されるように、サブパケットを適切に受信しなかった場合、ブロック８２５で制御がブロック８０５に移り、ブロック８０５では、別のサブパケットを選択し、プロセスを反復する。一方、ＡＣＫ信号の受信によって示されるように、サブパケットを適切に受信した場合、ブロック８２５で制御がブロック８００に移り、ブロック８００では、別の新しいエンコーダ・パケットを選択し、プロセスを反復する。
【００２６】
通信システムでピーク対平均出力比（ＰＡＰＲ）を制御する技法が開示される。提案される方式は、所与の時間に送信するための最低のＰＡＰＲが得られる１組のＨｙｂｒｉｄ  ＡＲＱサブパケットを選択する。本発明の代替実施形態では、事前選択したＰＡＰＲ未満のサブパケットを選択することが有用であるが、必ずしも最低のＰＡＰＲが得られるわではない。すなわち、許容されるＰＡＰＲを有するサブパケットのプールを確立することができ、次いでスケジューラが、そのプールからランダムに選択することができ、プールが尽きた後に初めてプールに含まれないサブパケットが用いられる。
【００２７】
本明細書の様々な実施形態で示される様々なシステム層、ルーチン、またはモジュールが実行可能制御ユニット（スケジューラ２１０など（図２参照））でよいことを当業者は理解されよう。制御ユニットは、マイクロプロセッサ、マイクロコントローラ、デジタル信号プロセッサ、プロセッサ・カード（１つまたは複数のマイクロプロセッサまたはコントローラを含む）、または他の制御機構、あるいはコンピューティング装置、ならびに１つまたは複数の記憶装置内に含まれる実行可能命令を含むことができる。記憶装置は、データおよび命令を格納する１つまたは複数の機械可読記憶媒体を含むことができる。記憶媒体は、動的または静的ランダム・アクセス・メモリ（ＤＲＡＭまたはＳＲＡＭ）、消去可能およびプログラム可能読取り専用メモリ（ＥＰＲＯＭ）、電気消去可能およびプログラム可能読取り専用メモリ（ＥＥＰＲＯＭ）、フラッシュ・メモリなどの半導体メモリ装置、固定ディスク、フロッピィ・ディスク、取外し可能ディスクなどの磁気ディスク、テープを含む他の磁気媒体、ならびにコンパクト・ディスク（ＣＤ）やデジタル・ビデオ・ディスク（ＤＶＤ）などの光媒体を含む様々な形態のメモリを含むことができる。様々なシステム内の様々なソフトウェア層、ルーチン、またはモジュールを構成する命令を、それぞれの記憶装置に格納することができる。命令は、それぞれの制御ユニットによって実行されるとき、対応するシステムに、プログラムした動作を実行させる。
【００２８】
本明細書の教示の特典を有する当業者にとって明らかな、異なるが同等の方式で本発明を修正および実施できるので、上記で開示した特定の実施形態は単なる例である。さらに、特許請求の範囲に記載されるものを除き、本明細書で示した構成または設計の詳細に対する限定は意図されない。したがって、上記で開示した特定の実施形態を変更または修正でき、そのような変形形態は本発明の範囲および精神内にあるとみなされることは明らかである。したがって、本明細書で要求する保護は、特許請求の範囲に記載される。
【図面の簡単な説明】
【００２９】
【図１】ＯＦＤＭ送信機チェーンの様式化した表現を示す図である。
【図２】Ｈｙｂｒｉｄ  ＡＲＱシステムでサブパケットを形成する例示的技法を示す図である。
【図３】Ｈｙｂｒｉｄ  ＡＲＱオペレーションでサブパケットの送信を制御する一技法の一実施形態の様式化した表現を示す図である。
【図４】Ｈｙｂｒｉｄ  ＡＲＱオペレーションでサブパケットを送信する一技法の一実施形態の様式化した表現を示す図である。
【図５】Ｈｙｂｒｉｄ  ＡＲＱオペレーションでサブパケットを送信する一技法の一実施形態の様式化した表現を示す図である。
【図６】Ｈｙｂｒｉｄ  ＡＲＱオペレーションでサブパケットを送信する一技法の一実施形態の様式化した表現を示す図である。
【図７】Ｈｙｂｒｉｄ  ＡＲＱオペレーションでサブパケットを送信する一技法の一実施形態の様式化した表現を示す図である。
【図８】Ｈｙｂｒｉｄ  ＡＲＱオペレーションでサブパケットの伝送を制御するのに使用することのできるソフトウェア・ルーチンの一実施形態を示す図である。
【図１】
0004728040.tif 000002
【図２】
0004728040.tif 000003
【図３】
0004728040.tif 000004
【図４】
0004728040.tif 000005
【図５】
0004728040.tif 000006
【図６】
0004728040.tif 000007
【図７】
0004728040.tif 000008
【図８】
0004728040.tif 000009